(57)【要約】【課題】成人の荷重に耐えられる強度と、廃棄等の際に、環境問題を生じさせない段ボール製組立式椅子を提供すること。【解決手段】段ボール製組立式椅子において、座面部材４００の下方に、幅方向断面がＶ字をなし水平方向に延びる底部材２００を設け、この底部材２００を、一面を欠いた左右一対の四角錐形状の脚部材１００の欠けた一面の位置に嵌込み、四角錐の向い合う頂点で支えることによって荷重を効果的に分散させるようにした。また、段ボール製組立式器具の連結具として、一対の差込み穴に差し込んで使用する連結具Ｊであって、左右対称で中心で折曲げ可能であり、一対の差込み穴に挿入されたとき抜止めとなる延長部ＪＬを一方の端部に具えた連結具Ｊを開示している。【選択図】図１
2007319362.tif 000002
【特許請求の範囲】
【請求項１】
座面部材の下方に、幅方向断面がＶ字をなし水平方向に延びる底部材を設け、前記底部材を、一面を欠いた左右一対の四角錐形状の脚部材の前記欠けた一面の位置に嵌込み、前記四角錐の向い合う頂点で支えるようにしたことを特徴とする、
段ボール製組立式椅子。
【請求項２】
前記底部材の内部に、複数の三角部材を配置した座面下構造体を有する、請求項１の段ボール製組立式椅子。
【請求項３】
前記座面下構造体の下に補強部材が配置され、前記四角錐形状の脚部材が中空で、その内部に、前記四角錐の稜線に沿うように前記補強部材の三角形状延長部が配置される、請求項１又は２の段ボール製組立式椅子。
【請求項４】
スツール形状をなす、請求項１から３のいずれかの段ボール製組立式椅子。
【請求項５】
背凭れを有する、請求項１から３のいずれかの段ボール製組立式椅子。
【請求項６】
左右対称で中心で折曲げ可能であり、一対の差込み穴に挿入されたとき抜止めとなる延長部を一方の端部に具えたことを特徴とする、組立式段ボール製器具の連結具。
【請求項７】
他方の端部に抜止め用膨大部を具えた、請求項６の組立式段ボール製器具の連結具。
【発明の詳細な説明】
【技術分野】
【０００１】
本発明は、段ボール製組立式椅子（背凭れを有しないスツール形状のものと背凭れを有する形状のものがある。）に関する。
【背景妓術】
【０００２】
段ボール製組立式椅子の従来技術として、特許文献１のものがある。
【特許文献１】特許第３６５１８６３号公報
【発明の開示】
【発明が解決しようとする課題】
【０００３】
しかし、特許文献１の段ボール製組立式椅子は、子供、特に幼児が用いるのに好適なように作られているため、強度不足で、耐荷重性に問題があり、大人の使用に堪えるものではなかった。
【０００４】
本発明は、上記の点に鑑み、成人の荷重に長期間耐えられるような十分な強度を有し、且つ、金具、接着剤等のリサイクルに適しない素材を一切使用することなく、紙素材のみで組立てることが可能な、段ボール製組立式椅子を提供することを目的とする。
【課題を解決するための手段】
【０００５】
本発明は、
座面部材の下方に、幅方向断面がＶ字をなし水平方向に延びる底部材を設け、前記底部材を、一面を欠いた左右一対の四角錐形状の脚部材の前記欠けた一面の位置に嵌込み、前記四角錐の向い合う頂点で支えるようにしたことを特徴とする段ボール製組立式椅子によって、前記課題を解決した。
【０００６】
さらに、本発明は、左右対称で中心で折曲げ可能であり、一対の差込み穴に挿入されたとき抜止めとなる延長部を一方の端部に具えたことを特徴とする組立式段ボール製器具の連結具によって、接着剤等を使用しないでも、連結強度を十分に保てるようにした。
【発明の効果】
【０００７】
本発明の段ボール製組立式椅子によれば、変形が生じにくい三角形と四角錐（ピラミッド形状）とを組合せた構造で荷重を支えるようにしたので、ピラミッドの頂点を支点として、荷重を効果的に分散させることができる。その結果、四角形を基本形状とする従来の段ボール製組立式椅子と比較して、耐荷重性能を飛躍的に向上させることができる。
荷重実験によれば、約２００ｋｇもの荷重に耐えることが実証された。
【０００８】
さらに、各部材同士は全て差込の嵌合で連結され、金具、接着剤、或いは、両面テープ等の紙以外の連結・接合材は一切使用しないため、リサイクルや焼却の際に、環境問題を発生させない。
なお、構成要素となる部材は、全て段ボール紙から打抜いて作られるため、量産に適する。
【発明を実施するための最良の形態】
【０００９】
以下、本発明の実施形態を、図面に基づいて説明する。
図１乃至図５は、本発明の第１実施形態（背凭れのないスツール形状）を示す。
図１は、第１実施形態の段ボール製組立式椅子の完成図である。椅子への荷重は、三角形１０１、１０２及び１０３の面からなる、一面を欠いた四角錐形状の、左右一対の脚部材１００により、幅方向の断面がＶ字をなし水平方向に延びる底部材２００を受止めることで支えるようになっている。以下、椅子を構成する各部材の構造、次に組立方法という順で説明する。
【００１０】
図２は、基礎となる脚部を構成する脚部材１００、底部材２００、補強部材Ｐ、及び全体に共通する連結具Ｊ、閂部材Ｂを示す分解図である。
脚部材１００は、二等辺三角形１０１の各二等辺に接するように、三角形１０２及び１０３を対称に並べた形状を有する。上部の複数の差込片１０２ｓ及び１０３ｓは、底部材２００の差込孔に挿入して嵌合する為のもの、両側の複数の差込孔１０２ｈ及び１０３ｈは段ボール製の連結具Ｊを用いて、後述の側面部材４００と連結させる為のもの、そして底部の差込孔１０１ｈは側面部材底部の差込片と結合させる為のものである。
連結具Ｊ（請求項６の連結具）には一対の延長部ＪＬ，ＪＬがあるが、これは、一対の差込み穴にここを先頭にして挿入したときの抜止めとするためであり、他端にも、同様の目的で膨大部ＪＭ，ＪＭがあることが望ましい。閂部材Ｂにも、同様の目的で、膨大部ＢＬ，ＢＬが設けてある。
なお、実際の組立の場面では、同じ構造の脚部材１００が２枚必要である。
【００１１】
底部材２００は、図２（ｂ）に示すように、当初は、ほぼ長方形状である。そこには、中央から図中の外側へ向けて順に、中央折目ｆ２１、座面折目ｆ２２及びｆ２３、差込折目ｆ２４及びｆ２５がある。中央折目ｆ２１と座面折目ｆ２２及びｆ２３に挟まれた長方形状部２０２及び２０３には、それぞれ、脚部１００の差込片と対応する差込孔２０２ｈ及び２０３ｈが、また、座面折目ｆ２２及びｆ２３と差込折目ｆ２４及びｆ２５に挟まれた長方形状部２０４及び２０５には、それぞれ、側面部材４００の差込片と対応する差込孔２０４ｈ及び２０５ｈが設けられている。
差込折目ｆ２４の図中上方の長方形上部２０６、及び、差込折目ｆ２５の図中下方の長方形状部２０７には、後述の座面下構造体Ｙに対応した切込部２０６ｍ及び２０７ｍが複数形成されている。
補強部材Ｐは、中央の切込部Ｐｍで２枚噛合わせ、底部材の補強のために使用する。底部材２００と同様に、脚部１００の差込片と対応する差込孔Ｐｈが設けられている。
【００１２】
図３は、座面下構造体Ｙを構成するコの字部材Ｙ１、三角部材Ｙ２、連結部材Ｙ３を示す展開図である。
コの字部材Ｙ１には、上下に２本の平行する折目があり、折目に沿った両端に三角部材に対応する複数の切込部Ｙ１ｍが形成されている。三角部材Ｙ２、及び連結具Ｙ３にも、それぞれに対応する切込部Ｙ２ｍ１，Ｙ２ｍ２、及びＹ３ｍが設けられている。
なお、三角部材の数は、限定されない。従って、対応する各部材の切込部の数も限定されない。多くすれば強度は増す一方、重量も増す。上記の約２００ｋｇの耐荷重性が証明された実験体は、三角部材を８枚使用したものである。
【００１３】
図４は、外周部３０を構成する各部材を示す。図４（ａ）は側面部材３００、図４（ｂ）は座面部材４００の展開図である。
側面部材３００は、下辺、すなわち、椅子の底部の方が長い台形状を有し、差込片３００ｓ１（上部）及び３００ｓ２（底部）や差込孔３００ｈ１（上部）及び３００ｈ２（側部）が複数設けられている。座面４００は長方形であり、それぞれ、側面部材３００の差込孔、及び底部材２００の差込孔に挿入する、差込片４００ｓ１（図中縦方向）、及び４００ｓ２（図中横方向）を有する。
【００１４】
次に、図５及び図２乃至図４を参照しながら、第１実施形態の組立方法について説明する。
図５は、外周部３０を構成する部材側面部材３００及び座面４００を除いた各部材の分解図である。図中上から順に、コの字部材Ｙ１、三角部材Ｙ２、連結部材Ｙ３、補強部材Ｐ、底部材２００、脚部材１００である。
【００１５】
先ず、脚部材１００を折目ｆ１２及びｆ１３で椅子側面から見て谷折りにし、上部の差込片１０２ｓ及び１０３ｓを底部材の差込孔２０２ｈ及び２０３ｈに差込み連結する。もう１枚の脚部材も同様に、底部材の前記差込孔とは反対側の差込孔に差込み、連結する。
次に、２枚合わせた補強部材を、底部材２００の中央折目ｆ２１部のスリットから差し入れ、底部材と重ね、脚部材１００の差込片１０２ｓ及び１０３ｓを補強部材の差込孔Ｐｈにも差込み、底部材２００と併せて閂Ｂで固定する。
【００１６】
次に座面下構造体Ｙを組立てる。
先ず、コの字部材Ｙ１を、その２本の平行する折目で折曲げ、コの字型にする。次に、コの字部材の向い合う切込部Ｙ１ｍと、三角部材Ｙ２の底辺に設けた２つの切込部Ｙ２ｍ１を噛合わせ、固定する。これを三角部材の数だけ繰返し（図では８枚。）、複数の三角部材が平行に並ぶように固定する。
次に、連結部材Ｙ３を三角部材の頂点にある切込部Ｙ２ｍ２と噛合わせ固定し、コの字部材Ｙ１と協動して三角部材Ｙ２の移動を制限する。
【００１７】
上記のように組立てた座面下構造体Ｙを、図示したように、三角部材の頂点が下になる方向で、脚部１０の最上部にある補強部材Ｐ上に設置し、底部材２００を座面折目ｆ２２及びｆ２３で折曲げ、両側から座面下構造体Ｙを包み込むようにする。次に、底部材２００の差込折目ｆ２４及びｆ２５も椅子の内側方向に折曲げ、切込部２０６ｍ及び２０７ｍと、三角部材の切込部Ｙ２ｍ１が噛合うように、底部材長方形部２０６及び２０７を座面下構造体Ｙの中に差込む。こうして、座面下構造体は、脚部の上部に固定され、椅子の台座Ｇが完成する。このとき、補強部材Ｐの三角形状の延長部ＰＬの斜辺は中空の四角錐の下側の稜線に沿って、この部分を補強している。
【００１８】
椅子の台座Ｇ部分が完成したら、次に、側面部材３００を組付ける。図２及び図４で図示した各部材の最外部にある袖部は、全て椅子内側へ向けて折込んで、差込孔や差込片を突出させておく。
先ず、脚部材１００と側面部材３００を互いに向かい合わせ、底部にある差込孔１０１ｈに、側面部材３００の底部に設けられた差込片３００ｓ２を挿入し連結する。次に、それぞれ側面部の差込孔１０２ｈ・１０３ｈ、及び３００ｈ２を密着させ、連結具Ｊを差込み、連結し固定する。
側面部材上部は差込孔３００ｈ１がある折目で折曲げ、上部差込片３００ｓ１を、底部材２００の差込孔２０４ｈ及び２０５ｈに差込み、固定する。
【００１９】
最後に座面を載せる。図示してある袖部を折込み、差込片４００ｓ１及び４００ｓ２を突出させる。図中縦方向の３つ（×２）の差込片４００ｓ１は、側面部材３００の上部差込孔３００ｈ１に挿入し、図中横方向の４つ（×２）の差込片４００ｓ２は、底部材２００のｆ２２及びｆ２３上に打抜かれた差込孔ｆ２２ｈ及びｆ２３ｈに挿入し、それぞれ固定する。これで、本発明の第１実施形態の段ボール製組立式椅子が完成する。
【００２０】
以上の様に、本発明の第１実施形態の段ボール製組立式椅子は、簡単な構造・組立方法でありながら、前述のように、約２００ｋｇ超の耐荷重性能を有する。平面状の各部材を組立てることによって三角形と四角錐構造を作出し、荷重を効果的に分散させている為である。
【００２１】
次に、本発明の第２実施形態について、その構造、組立方法の順に説明する。  図６乃至図１７は、本発明の第２実施形態を示す。
図６は、第２実施形態の段ボール製組立式椅子の完成図である。図にあるように、第２実施形態においても、荷重を支える脚部は、三角形と四角錐、すなわち、ピラミッド構造を有する。後述するが、第１実施形態に比して構造が多少複雑になり、使用する部材も増えたことにより耐荷重性能は向上している。また、図より明らかであるが、背凭れが加わり、さらに背凭れの裏に、背面部にかかる荷重を支える補助部材を組込んだことで、成人でも安心して凭れ掛かることが可能となった。
【００２２】
図７乃至図１０は、第２実施形態の脚部５０を構成する各部材を示す。
それぞれ、図７は左脚部材５００Ｌ、図８は右脚部材５００Ｒ、図９（ａ）は後脚部材６００、図９（ｂ）は脚部補強部材Ｐ’、図１０は底部材７００を示す展開図である。
【００２３】
図７に示すように、左脚部材５００Ｌは、二等辺三角形Ｌ−５０１を中心とし、その二等辺の一つである折目Ｌ‐ｆ５２側には、ほぼ三角形状に折曲げることができる形状Ｌ−５０２及びＬ−５０３、さらにＬ−５０３の一辺に隣接する袖部Ｌ−５０６が形成されている。二等辺のもう一辺である折目Ｌ−ｆ５４側には、同様にほぼ三角形状に折曲げることが可能な形状Ｌ−５０４及びＬ−５０５、さらにＬ−５０５の一辺に隣接するように袖部Ｌ−５０７が形成されており、左脚部材５００Ｌは、全体として、鳥の翼に似た形状を有する。なお、袖部Ｌ−５０６の方が椅子の手前側である。
さらに、左脚部材５００Ｌの折目上及び辺上には、差込嵌合の為の差込片（Ｌ−５８ｓ、Ｌ−５９ｓ）や差込孔（Ｌ‐５１ｈ、Ｌ−５３ｈ等）が、図のように多数設けられている。これらの嵌合方法、及び嵌合部分についても、後の組立方法の部分で詳述する。
【００２４】
図８に示すように、右脚部材５００Ｒは左脚部材５００Ｌと対称である。よって、その構造についての重複する説明は省く。なお、左右両脚部材５００Ｌ及び５００Ｒの各二等辺三角形Ｌ−５０１及びＲ−５０１は、後述するように折曲げ、他の部材と組合せることで、荷重を支えるピラミッド構造の向合う面となる。
【００２５】
図９（ａ）に示すように、後脚部材６００は、下辺の方が長い左右対称の台形状を有し、下辺上には差込孔６００ｈ、両側辺上には差込片６００ｓが設けられている。
図９（ｂ）に示す脚部補強部材Ｐ’は、左右両脚部材の歪みを矯正し、均整なピラミッド構造を維持するための部材である。図示したように、２本の足が飛び出した形状の延長部を有する。この延長部が、中空四角錐の稜線の部分に沿って補強する。左右の差込孔Ｐ’ｈには、左右両脚部材の差込片がそれぞれ差込まれ、嵌合されることになる。
【００２６】
次に、図１０は、座面下構造体の下支え、又は位置決めの役割を有する、底部材７００を示す展開図である。
図にあるように、底部材７００は、当初は、全体としてほぼ長方形の形状を有する。そして、長方形のほぼ中央に位置する中央折目ｆ７１、椅子完成品において前方に位置することになる前方座面折目ｆ７２、後方座面折目ｆ７３、座面下構造体に差込まれる、前方差込折目ｆ７４、後方差込折目ｆ７５がある。
【００２７】
中央折目ｆ７１と前方座面折目ｆ７２との間の台形状部７０２、及び中央折目ｆ７１と後方座面折目ｆ７３との間の台形状部７０３には、それぞれ、左右両脚部材の差込片を挿入して嵌合する為の差込孔７０２ｈ及び７０３ｈが設けられている。
また、前方座面折目ｆ７２と前方差込折目ｆ７４の間の台形状部７０４、及び後方座面折目ｆ７３と後方差込折目ｆ７５の間の台形状部７０５にも、それぞれ、後述の左右側面部材の差込片を挿入して嵌合する為の差込孔７０４ｈ及び７０５ｈが設けられている。
そして、前方差込折目ｆ７４の図中上方の長方形状部７０６、及び後方差込折目ｆ７５の図中下方の長方形状部７０７には、座面下構造体と合致するような切込部７０６ｍ及び７０７ｍが、図のように形成されている。
【００２８】
図１１は、座面下構造体Ｚを構成する３種の部材を示す展開図である。
図１１（ａ）は、座面の直下に位置することになる、コの字部材Ｚ１、図１１（ｂ）は、荷重を分散させるための三角部材Ｚ２、図１１（ｃ）は、コの字部材Ｚ１と協動して下から三角部材を固定するための、Ｖ字部材Ｚ３を示す。
主要な構造は、第１実施形態における座面下構造体Ｙと殆ど変わらない。さらに強度を上げるために、三角部材Ｚ２を、四角部材を折曲げて作ることとした点、及び、三角部材をより安定させるために、連結部材をＶ字型とした点の２点で異なるのみである。
【００２９】
図示されているように、コの字部材Ｚ１は長方形状を有し、コの字型に折ることが可能である。その両端には三角部材を固定するための切込部Ｚ１ｍが多数設けられている。
三角部材Ｚ３は、中央に折目を有する対称の四角形状であり、折曲げることで三角形状となる。中央折目に直角に入った２つの打抜き穴は、折曲げることで、三角形の底辺に設けられた切込部Ｚ２ｍ１を形成し、コの字部材Ｚ１の切込部Ｚ１ｍと対応する。一方、四角形の辺上の切込部Ｚ２ｍ２は、後述するＶ字部材Ｚ３の切込部と対応する。
Ｖ字部材Ｚ３は、台形状を有し、Ｖ字に折曲げるための折目が３本入っている。そして、その両端には三角部材を固定する為の切込部Ｚ３ｍが複数設けられている。
【００３０】
図１２は、外周部８０を構成する３種の部材のうち、２種の部材を示す展開図である。それぞれ、図１２（ａ）は、右側面部材８００Ｒ、図１２（ｂ）は左側面部材８００Ｌ、図１２（ｃ）は背面部材９００を示す。
【００３１】
図のように、左右両側面部材８００Ｌ及び８００Ｒは、椅子の側面を構成する部分Ｌ−８１０及びＲ−８１０と、背面部材９００と結着して背面の一部を構成する部分Ｌ−８０５及びＲ−８０５とからなる。
Ｌ−８１０及びＲ−８１０には、上から順に多数の差込孔８１ｈ、８２ｈ、８３ｈ、８４ｈが、また、差込片８２ｓが、複数設けられている。
また、Ｌ−８０５及びＲ−８０５の円弧状の外周上には、背面部材９００と連結させる為の差込片Ｌ‐８５ｓ及びＲ−８５ｓが、複数形成されている。
後述するが、側面部と背面部を閂による連結方法を用いて固く結合し、紙の緊張を生み出すことで、座面に次いで大きい荷重のかかる背面の強度を確保している。
【００３２】
図１２（ｃ）に示すように、背面部材９００は長方形状を有する。図中の複数の差込孔のうち、左右対称の円弧状のもの９００ｈ１は左右両側面部材８００Ｌ及び８００Ｒの差込片に対応する。上部の斜めの差込孔９００ｈ２は座面部材１０００との、そして、下部の差込孔９００ｈ３は脚部５０との連結用である。
【００３３】
図１３は、背凭れ裏構造体Ｑを示す展開図である。
上記のように、背面には座面に次ぐ大きな負担がかかるため、補強部材が必要となる。
背凭れ裏構造体Ｑは、中央に通った２本の折目の両外側の基本部分Ｑ１０及びＱ２０と、背面に対し直角に立てて用いる部分Ｑ５０とからなる。
【００３４】
図１４は、外周部８０を構成する座面部材１０００を示す展開図である。
図のように、座面部材１０００は、座面部１０１０、背凭れ部１０３０、及び背面部１０５０からなる。
座面部１０１０には、座面前方で底部材７００の差込孔に挿入して、連結させるための差込片１０１０ｓ１、座面側面で外周部の左右両側面部材８００の差込孔８２ｈに挿入して、連結させるための差込片１０１０ｓ２が形成されている。  背凭れ部１０３０の両側面には、外周部の左右両側面部材８００の差込孔８１ｈに挿入して連結するための差込片１０３０ｓが、背面部１０５０には、外周部背面部材９００の上部差込孔９００ｈ２に挿入して連結するための差込片１０５０ｓが、それぞれ設けられている。
【００３５】
次に、図１５乃至図１７、及び補助的に図７乃至図１４を参照しながら、第２実施形態の段ボール製組立式椅子の組立方法について説明する。
【００３６】
先ず、左脚部材８００Ｌの二等辺三角形状部Ｌ−５０１の両二等辺の折目Ｌ−ｆ５２及びＬ−ｆ５４を、椅子側面から見て谷折りにする。次に、前記二等辺のうち椅子後方に位置する辺Ｌ−ｆ５４上の差込孔Ｌ−５４ｈに、後脚部材６００の側面の差込片６００ｓを、山側から谷側に向けて挿入する。挿入した前記差込片を、今度は三角形状部Ｌ−５０４上に打抜かれた差込孔Ｌ−５０４ｈに差込み、再び山側に出し、前記差込片に打抜かれた穴に閂部材Ｂを挿入し固定する。これを、左脚部材の差込孔及び後脚部材の差込片の数だけ繰返し、左脚部材の折目Ｌ−ｆ５４と、後脚部材６００を連結する。
対向する右脚部材も同様に、前記後脚部材の反対側側面の差込片と連結する。  図１５は、この時、左右両脚部材と後脚部材が連結された状態を、椅子斜め後ろから見た斜視図である。
【００３７】
左右両脚部材と後脚部材の連結のみで自立は可能なものの、さらに強度を高めるために、補強部材Ｐ’を組付ける。補強部材Ｐ’の２本の足が、それぞれ、左右両脚部材の二等辺のうちの前方折目Ｌ−ｆ５２及びＲ−ｆ５２に沿うように、椅子後方から差込む。そうすると、補強部材Ｐ’の左右に設けられた差込孔Ｐ’ｈが、丁度、左右両脚部材の差込片Ｌ−５９ｓ及びＲ−５９ｓと合致する。つまり、補強部材の差込孔のうち２本足に近い方（図中下方）が、脚部材の二等辺三角形の頂点に近い方（図中上方）の差込片と対応することになる。
差込片Ｌ−５９ｓ及びＲ−５９ｓを前記補強部材Ｐ’の差込孔に挿入し連結することで、三角形状部Ｌ−５０４及びＲ−５０４の２つの辺が固定されることになるので、ピラミッド構造が安定する。
【００３８】
次に、底部材７００を組付ける。先ず、中央折目ｆ７１を谷折りにし、折目が左右両脚部材二等辺三角形の両頂点に接するように載せる。そして、底部材台形状部７０３に形成された差込孔７０３ｈに、前記補強部材Ｐ’と連結したものと同じ差込片Ｌ−５９ｓ及びＲ−５９ｓを差込み固定する。つまり、前記補強部材の面と、底部材台形状部７０３の面は重なり合うことになる。
次に、椅子前方に位置する台形状部７０２に打抜かれた差込孔７０２ｈと、左右両脚部材の前方差込片Ｌ−５８ｓ及びＲ−５８ｓを連結する。この時点で、ピラミッド構造がほぼ作られ、荷重を支える基礎は整う。
【００３９】
続いて、座面下構造体Ｚを組立てる。組立て方は、前記第１実施形態における座面下構造体Ｙと殆ど変わらない。図１１（ａ）に示した２本の平行する折目で折曲げ、コの字型にしたコの字部材Ｚ１の切込部Ｚ１ｍと、中央折目で折曲げ、三角形状にした三角部材Ｚ２の底辺切込部Ｚ２ｍ１とを噛合わせ嵌合させる。Ｖ字部材Ｚ３も同様に、図の通りの３本の平行する折目で折り曲げＶ字型にし、両端の切込部Ｚ３ｍを、三角部材Ｚ２の前記切込部とは異なる切込部Ｚ２ｍ２と噛合わせ嵌合させる。
【００４０】
座面下構造体Ｚを組立てたら、次は脚部と合体させる。この方法も、第１実施形態とほぼ同様である。Ｖ字部材の頂点を下にし、底部材７００の中央折目ｆ７１と接するように、設置する。そして、底部材の前後の座面折目ｆ７２及びｆ７３を椅子内側に向けて折込み、座面下構造Ｚを包み込む。次に、差込折目ｆ７４及びｆ７５も椅子内側へ向けて折込み、両端に切込部７０６ｍ及び７０７ｍを有する長方形状部７０６及び７０７を、座面下構造体Ｚの三角部材Ｚ２の底辺切込部Ｚ２ｍ１にそれぞれ挿入し噛合わせ、嵌合させる。これにより、座面下構造体Ｚは脚部５０上に固定される。
【００４１】
この段階では、未だ左右両脚部材の両翼は開いたままであるので、次に、図１６を参照しながら、両脚部材の両翼の組み方について説明する。
両翼の組み方は、鳥が羽をしまう様子に似ている。先ず、左脚部材５００Ｌの折目Ｌ−ｆ５３を、椅子側面から見て谷折りにし、前方三角形状部Ｌ−５０３とＬ−５０２が向い合うようにする。次に前記三角形状部Ｌ−５０３のもう一方の折目Ｌ−ｆ５６も内側に折曲げ、袖部Ｌ−５０６を補強部材Ｐ’の下に重なるように差込む。図１６の（ａ）及び（ｂ）は、両翼を折込む前の状態を示す斜視図であり、図１６（ａ）は前面の様子を示したもの、図１６（ｂ）は図１６（ａ）を少し回転させ、側面の様子を分かりやすく示した図である。
【００４２】
後方翼も同様に、折目Ｌ−ｆ５５を椅子側面から見て谷折にし、後方三角形状部Ｌ−５０５と、三角形状部Ｌ−５０４及びＬ−５０１が向い合うようにする。次に、前記後方三角形状部Ｌ−５０５のもう一方の折目Ｌ−ｆ５７も内側に折込み、差込片Ｌ−５７ｓを突出させる。袖部Ｌ−５０７の方は、前記前方翼の袖部Ｌ−５０６の下に重ねるようにして同様の場所に差込み、袖部とは別に突出させた前記差込片Ｌ−５７ｓは、前方翼の折目Ｌ−ｆ５６上の差込孔Ｌ−５６ｈに差込み連結する。
つまり、上記のように両翼をまとめることで、椅子の側面から見た場合、左脚部材５００Ｌの折目のうち、Ｌ−ｆ５２、Ｌ−ｆ５６、及びＬ−ｆ５７は、一直線上に位置することになる。
【００４３】
右脚部材５００Ｒの組み方は、当然左脚部材と同様であるから、説明は省略する。
なお、第１実施形態に比して脚部が複雑な構造を有するのは、上下方向の荷重のみでなく、前後・左右方向の耐荷重性能をも向上させるためである。
【００４４】
以上で、第２実施形態の台座Ｇは完成する。次に、外周部を組立てる。
外周部材は比較的大きいので、横にしたまま組立てるのが便宜である。まず、左側面部材８００Ｌの円弧上の差込片Ｌ−８５ｓを垂直に持上げ、背面部材９００の対応する差込孔９００ｈ１に差込み、閂部材Ｂで固定連結する。
右側面部材８００Ｒも同様にして連結する。
【００４５】
次に、背凭れ裏構造体Ｑを組立てる。図のように２本入った平行な折目を、椅子前方から見て谷折りにし、Ｑ１０及びＱ２０を向かい合わせる。折目Ｑｆ部以外は切抜いてあるＱ５０部は、椅子手前に向けて垂直方向と直角になるように立ち上げ、溝部Ｑ５５と、Ｑ１０及びＱ２０の溝部Ｑ１５及びＱ２５と噛合わせ、両者を固定する。
こうすることで、上下方向と前後・左右方向の荷重の両方に対応できる。
【００４６】
次に、外周部及び背凭れ裏構造体を組付ける。先ず、外周部背面部材の下部差込孔９００ｈ３と、台座の背面底部を構成する、後脚部材６００の下部差込孔６００ｈとに連結具Ｊを差込み、連結する。
左右両側面部材の折目Ｌ−ｆ８５及びＲ−ｆ８５を、椅子前方へ向けて谷折りにし、台座の側面を覆う。次に、背凭れ裏構造体Ｑを図１７のように組入れ、台座背面部と外周部背面部材９００とで挟む。背凭れ用裏構造体Ｑの立体形状と、台座背面部の立体形状が合致し、特に連結具を用いなくても、背凭れ裏構造体Ｑはしっかり固定されるようになっている。
後は、外周部左右両側面部材８００Ｌ及び８００Ｒのそれぞれの折目を椅子内側に向けて折込み、台座の対応する部分と重ねて、順に連結具で連結するだけである。台座座面部との連結は、外周部左右両側面部材のそれぞれの差込片Ｌ−８２ｓ及びＲ−８２ｓを、台座座面部を構成する底部材７００の差込孔７０４ｈ及び７０５ｈに差込む方法による。
【００４７】
最後に、座面を組付ける。先ず、図１４に示した座面部材１０００の上部三角形状部１０５０の差込片１０５０ｓを、外周部背面部材９００の上部差込孔９００ｈ２に挿入し、閂で固定する。閂構造を用いるのは、比較的荷重のかかる場所だからである。
次に座面部材背凭れ部１０３０、及び座面部材座面部１０１０の袖部の折目を折込み、差込片のみを突出させる。座面部材背凭れ部の差込片１０３０ｓは、外周部左右両側面部材８００Ｌ及び８００Ｒの差込孔Ｌ−８１ｈ及びＲ−８１ｈに差込み連結する。座面部材座面部の側部差込片１０１０ｓ２は、左右両側面部材の差込孔Ｌ−８２ｈ及びＲ−８２ｈに、前方差込片１０１０ｓ１は、底部材に設けた差込孔ｆ７２ｈに、それぞれ順に差込む。そして、完成に至る。
【００４８】
以上の通り、本発明の段ボール製組立式椅子は、変形しにくい三角形と四角錐形状を採用し、荷重を効果的に分散させることを基本とし、さらに、荷重の比較的かかりやすい場所には閂による連結方法を用い強度を上げること、加えて、各別の紙部材を適切に重ねたり連結したりして、紙の緊張で耐荷重強度をさらに上げることで、全体として高度な強度を生み出している。
なお、差込片や三角部材等の数、及び各部材の細かい点は、図中及び上記の説明の中に示したものに限定されないことは言うまでもない。
【図面の簡単な説明】
【００４９】
【図１】本発明の第１実施形態の段ボール製組立式椅子の完成図。
【図２】第１実施形態の脚部を構成する各部材を示し、図２（ａ）は脚部材、図２（ｂ）は底部材、図２（ｃ）は補強部材、図２（ｄ）は閂部材、図２（ｅ）は連結具を示す展開図。
【図３】第１実施形態の座面下構造体を構成する各部材を示す。図３（ａ）は、コの字部材、図３（ｂ）は三角部材、図３（ｃ）は連結部材を示す展開図。
【図４】第１実施形態の外周部を構成する各部材を示す。図４（ａ）は側面部材、図４（ｂ）は座面を示す展開図。
【図５】第１実施形態の外周部を除いた各部材の組立分解図。
【図６】本発明の第２実施形態の段ボール製組立式椅子の完成図。
【図７】第２実施形態の脚部を構成する左脚部材を示す展開図。
【図８】第２実施形態の脚部を構成する右脚部材を示す展開図。
【図９】図９（ａ）は第２実施形態の脚部を構成する後脚部材を示す展開図、図９（ｂ）は補強部材の展開図。
【図１０】第２実施形態の脚部を構成する底部材を示す展開図。
【図１１】第２実施形態の座面下構造体を構成する各部材を示す。図１１（ａ）はコの字部材、図１１（ｂ）は三角部材、図１１（ｃ）はＶ字部材を示す展開図。
【図１２】第２実施形態の外周部を構成する各部材を示す。図１２（ａ）は右側面部材、図１２（ｂ）は左側面部材、図１２（ｃ）は背面部材を示す展開図。
【図１３】第２実施形態の背凭れ裏構造体を示す展開図。
【図１４】第２実施形態の外周部を構成する座面部材を示す展開図。
【図１５】第２実施形態において、左右両脚部材と後脚部材を連結した状態を示す右斜め後方よりの斜視図。
【図１６】第２実施形態において、台座が完成する直前の状態を示す斜視図で、図１６（ａ）は斜め方向から見た図、図１６（ｂ）は側面を少し手前に向けて見た図。
【図１７】第２実施形態において、台座、背凭れ裏構造、及び座面を除いた外周部の結合関係を示す展開斜視図。
【符号の説明】
【００５０】
１００、５００：脚部材
６００：後脚部材
２００、７００：底部材
３００、８００：側面部材
９００：背面部材
４００、１０００：座面部材
Ｇ、Ｇ’：台座
Ｐ、Ｐ’：補強部材
Ｂ：閂部材
Ｊ：連結具
Ｙ、Ｚ：座面下構造体
Ｑ：背凭れ裏構造体
ｆ：折目
ｓ：差込片
ｈ：差込孔
ｍ：切込部
【図１】
2007319362.tif 000003
【図２】
2007319362.tif 000004
【図３】
2007319362.tif 000005
【図４】
2007319362.tif 000006
【図５】
2007319362.tif 000007
【図６】
2007319362.tif 000008
【図７】
2007319362.tif 000009
【図８】
2007319362.tif 000010
【図９】
2007319362.tif 000011
【図１０】
2007319362.tif 000012
【図１１】
2007319362.tif 000013
【図１２】
2007319362.tif 000014
【図１３】
2007319362.tif 000015
【図１４】
2007319362.tif 000016
【図１５】
2007319362.tif 000017
【図１６】
2007319362.tif 000018
【図１７】
2007319362.tif 000019